(57)【要約】  【課題】  発電のための特別な操作を必要としない発電機能を有する低廉な携帯型電子機器を提供する。  【解決手段】  複数の入力キーを有する筐体を備える携帯型電子機器において、前記筐体の入力キー設置面の外側に設けられるシート形状の圧力センサ１と、前記複数の入力キーの少なくとも一つが押圧された場合に圧力を検知することができるように前記筐体内に設けられたシート形状の圧力センサ４と、シート形状の圧力センサ１及び４で発生した電流を整流する整流回路と、前記整流回路によって整流された電流が充電される充電池とを備えることを特徴とする携帯型電子機器。【選択図】      図１
2006149166.tif 000002
【特許請求の範囲】
【請求項１】
筐体を備える携帯型電子機器において、
前記筐体の外側に設けられるシート形状の圧力センサを備えることを特徴する携帯型電子機器。
【請求項２】
複数の入力キーを有する筐体を備える携帯型電子機器において、
前記筐体の入力キー設置面の外側に設けられるシート形状の圧力センサを備えることを特徴する携帯型電子機器。
【請求項３】
複数の入力キーを有する筐体を備える携帯型電子機器において、
前記複数の入力キーの少なくとも一つが押圧された場合に圧力を検知することができるように前記筐体内に設けられたシート形状の圧力センサを備えることを特徴する携帯型電子機器。
【請求項４】
前記圧力センサから出力される電気エネルギーを蓄える電気エネルギー貯蔵手段を備える請求項１〜３のいずれかに記載の携帯型電子機器。
【請求項５】
前記電気エネルギー貯蔵手段が、前記圧力センサで発生した電流を整流する整流回路と、前記整流回路によって整流された電流が充電される充電池とを備える請求項４に記載の携帯型電子機器。
【発明の詳細な説明】
【技術分野】
【０００１】
本発明は、携帯型電子機器に関し、特に発電機能を有する携帯型電子機器に関する。
【背景技術】
【０００２】
発電機能を有する携帯電話機が従来から種々提案されている（例えば、特許文献１、特許文献２参照）。特許文献１においては、携帯電話機の使用の際に上下移動可能な構造を有するアンテナやプッシュ式ボタン等の手動動作部材を上下移動させるだけで、電話機本体に働く運動エネルギーを電気エネルギーに変換でき、その変換された電気エネルギーを内蔵充電池に充電し電力補給をすることができる携帯電話機用充電機構を有する携帯電話機が提案されている。また、特許文献２においては、アンテナを折り曲げ可能にしてハンドルとし、バイブレーター用のモータを発電機として利用することで手動による充電を可能とする携帯電話機が提案されている。
【特許文献１】特開２００３−２９８７３１号公報
【特許文献２】実用新案登録第３０９４５７７号公報
【発明の開示】
【発明が解決しようとする課題】
【０００３】
しかしながら、特許文献１において提案されている携帯電話機は、アンテナやプッシュ式ボタン等の手動動作部材毎に発電用素子を設ける構成であるため、コストがかかるという問題があった。また、特許文献２において提案されている携帯電話機は、発電のためにハンドルを回すという特別な操作を必要としており、使用者にとっては不便なものであった。
【０００４】
本発明は、上記の問題点に鑑み、発電のための特別な操作を必要としない発電機能を有する低廉な携帯型電子機器を提供することを目的とする。
【課題を解決するための手段】
【０００５】
上記目的を達成するために本発明に係る携帯型電子機器は、筐体を備える携帯型電子機器であって、前記筐体の外側に設けられるシート形状の圧力センサを備える構成とする。
【０００６】
このような構成によると、従来の携帯電話機のように手動動作部材毎に発電用素子を設ける必要がないため、低コスト化を図ることができる。また、使用者が携帯型電子機器を使用して前記筐体の圧力センサ設置面を押さえたときや携帯型電子機器が折りたたみ式携帯型電子機器であって使用者がその折りたたみ式携帯型電子機器を開閉したとき等に前記圧力センサが圧力を検知して電気エネルギーを出力するので、発電のための特別な操作をする必要がない。なお、前記筐体の全面の外側に前記圧力センサを設けてもよく、前記筐体の一部（例えば側面）の外側にのみ前記圧力センサを設けてもよい。
【０００７】
また、上記目的を達成するために本発明に係る携帯型電子機器は、複数の入力キーを有する筐体を備える携帯型電子機器であって、前記筐体の入力キー設置面の外側に設けられるシート形状の圧力センサを備える構成とする。なお、前記圧力センサは、前記複数の入力キーに対応する複数の開口部を有することが望ましい。
【０００８】
このような構成によると、従来の携帯電話機のように手動動作部材毎に発電用素子を設ける必要がないため、低コスト化を図ることができる。また、使用者が携帯型電子機器を使用して前記筐体の入力キー設置面の入力キー以外の部分を押さえたときや携帯型電子機器が折りたたみ式携帯型電子機器であって使用者がその折りたたみ式携帯型電子機器を開閉したとき等に前記圧力センサが圧力を検知して電気エネルギーを出力するので、発電のための特別な操作をする必要がない。
【０００９】
また、上記目的を達成するために本発明に係る携帯型電子機器は、複数の入力キーを有する筐体を備える携帯型電子機器であって、前記複数の入力キーの少なくとも一つが押圧された場合に圧力を検知することができるように前記筐体内に設けられたシート形状の圧力センサを備える構成とする。
【００１０】
このような構成によると、従来の携帯電話機のように手動動作部材毎に発電用素子を設ける必要がないため、低コスト化を図ることができる。また、使用者が携帯型電子機器を使用してキー操作をしたときに前記圧力センサが圧力を検知して電気エネルギーを出力するので、発電のための特別な操作をする必要がない。
【００１１】
また、上記各構成の携帯型電子機器において、前記圧力センサから出力される電気エネルギーを蓄える電気エネルギー貯蔵手段を備えるようにしてもよい。なお、前記電気エネルギー貯蔵手段が、前記圧力センサで発生した電流を整流する整流回路と、前記整流回路によって整流された電流が充電される充電池とを備えるようにしてもよい。
【００１２】
このような構成によると、前記圧力センサから出力される電気エネルギーを蓄えることができるので、前記圧力センサから出力される電気エネルギーを無駄なく使用することができる。
【発明の効果】
【００１３】
本発明によると、発電のための特別な操作を必要としない発電機能を有する低廉な携帯型電子機器を実現することができる。
【発明を実施するための最良の形態】
【００１４】
本発明の一実施形態について図面を参照して以下に説明する。ここでは、折りたたみ式携帯電話機を例に挙げて説明する。本発明に係る折りたたみ式携帯電話機は、表示部を有する第１の筐体と複数の入力キーを有する第２の筐体とからなり、第１の筐体と第２の筐体とがヒンジによって互いに折りたたみ可能である。
【００１５】
ここで、本発明に係る折りたたみ式携帯電話機の一部である第２の筐体の分解斜視図を図１に示す。第２の筐体上部２と第２の筐体下部５との間に複数の入力キーを有するキーシート３が設けられる。なお、第２の筐体上部２は、キーシート３が有する複数の入力キーに対応する複数の開口部を有している。
【００１６】
また、シート形状の圧力センサ１が第２の筐体上部２の上側に設置される。すなわち、シート形状の圧力センサ１は第２の筐体の入力キー設置面の外側に設けられる。このような構成によると、使用者が本発明に係る折りたたみ式携帯電話機を使用して第２の筐体の入力キー設置面の入力キー以外の部分を押さえたときや使用者が本発明に係る折りたたみ式携帯電話機を開閉したとき等にシート形状の圧力センサ１が圧力を検知して電気エネルギーを出力するので、発電のための特別な操作をする必要がない。なお、シート形状の圧力センサ１は、キーシート３が有する複数の入力キーに対応する複数の開口部を有している。
【００１７】
また、シート形状の圧力センサ４がキーシート３と第２の筐体下部５との間に設けられる。このような構成によると、キーシート３が有している複数の入力キーの少なくとも一つが使用者によって押圧された場合にシート形状の圧力センサ４が圧力を検知することができる。そして、使用者が本発明に係る折りたたみ式携帯電話機を使用してキー操作をしたきにシート形状の圧力センサ４が圧力を検知して電気エネルギーを出力するので、発電のための特別な操作をする必要がない。
【００１８】
続いて、本発明に係る折りたたみ式携帯電話機の発電機能に関する部分の電気的構成を図２に示す。圧力センサ１は配線６及び７を介して整流回路１０の入力側に接続され、圧力センサ４は配線８及び９を介して整流回路１０の入力側に接続される。すなわち、圧力センサ１及び４は整流回路１０の入力側に並列接続される。整流回路１０の出力側は配線１１を介して充電回路１２の入力側に接続される。充電回路１２の出力側は配線１３及び１４を介して電池パック１５に接続される。電池パック１５は内蔵充電池１６や充電回路１２の出力電圧を安定化して内蔵充電池１６に供給するレギュレータ（不図示）等を内蔵している。なお、整流回路１０、充電回路１２、及び電池パック１５は、第２の筐体下部５（図１参照）内に配設される。
【００１９】
続いて、本発明に係る折りたたみ式携帯電話機の発電機能に関する動作フローチャートを図３に示す。使用者が本発明に係る折りたたみ式携帯電話機を使用して第２の筐体の入力キー設置面の入力キー以外の部分を押さえたとき、使用者が本発明に係る折りたたみ式携帯電話機を開閉したとき、或いは使用者が本発明に係る携帯電話機を使用してキー操作をしたとき等に図３に示す動作フローが開始される。
【００２０】
圧力センサ１及び／又は４が圧力を検知すると（ステップＳ１）、その圧力検知に伴って圧力センサ１及び／又は４において起電力が発生する（ステップＳ２）。そして、起電力の電流が整流回路１０で整流されて（ステップＳ３）、充電回路１２を介して電池パック内の内蔵充電池１６に充電される（ステップＳ４）。この動作フローは、使用者が本発明に係る折りたたみ式携帯電話機を使用して第２の筐体の入力キー設置面の入力キー以外の部分を押さえたとき、使用者が本発明に係る折りたたみ式携帯電話機を開閉したとき、或いは使用者が本発明に係る携帯電話機を使用してキー操作をしたとき等にその都度に行われて、順次内蔵充電池１６に電流が充電されることとなる。
【００２１】
なお、本実施形態では折りたたみ式携帯電話機を例に挙げて説明したが、本発明は携帯型電子機器全般、例えばＰＤＡ（Personal Digital Assistant）や折りたたみ式ではない携帯電話機等にも適用することができる。
【図面の簡単な説明】
【００２２】
【図１】は、本発明に係る折りたたみ式携帯電話機の部分分解斜視図である。
【図２】は、本発明に係る折りたたみ式携帯電話機の発電機能に関する部分の電気的構成を示すブロック図である。
【図３】は、本発明に係る折りたたみ式携帯電話機の発電機能に関する動作フローチャートである。
【符号の説明】
【００２３】
１  圧力センサ
２  第２の筐体上部
３  キーシート
４  圧力センサ
５  第２の筐体下部
６〜９  配線
１０  整流回路
１１  配線
１２  充電回路
１３、１４  配線
１５  電池パック
１６  内蔵充電池
【図１】
2006149166.tif 000003
【図２】
2006149166.tif 000004
【図３】
2006149166.tif 000005